(57)【要約】【課題】ＨＤＭＩなどのデジタル接続により音響装置（ＡＶアンプ）と表示装置（ＴＶ）とを接続し、マルチサラウンド音声を有する映像を再生した場合、マルチサラウンドの音声成分をＡＶアンプ及びＴＶの両方を用いて再生可能とする。【解決手段】ＴＶ４０は、１以上の音声成分を再生するスピーカ４９と、スピーカ４９から再生させる音声成分に係る音声成分情報を設定するＥＤＩＤ４５とを備える。ＡＶアンプ２０は、複数の音声成分を再生するスピーカ３０と、複数の音声成分からなる音声信号を入力するＨＤＭＩレシーバ２２と、入力した複数の音声信号をスピーカ３０から再生させる音声成分とＨＤＭＩケーブル２を介してスピーカ４９から再生させる音声成分とに選択的に振り分ける音声セレクタ２８とを備える。音声セレクタ２８は、ＥＤＩＤ４５に設定された音声成分情報に従って、スピーカ４９から再生させる音声成分を選択する。【選択図】図１
2008028950.tif 000002
【特許請求の範囲】
【請求項１】
複数の音声成分を再生可能な音響装置と接続する接続手段を備えた表示装置であって、
１以上の音声成分を再生する音声再生手段と、該音声再生手段から再生させる音声成分に係る音声成分情報を設定する音声成分情報設定手段と、該音声成分情報設定手段に設定された音声成分情報に対応する音声成分を前記音響装置から前記接続手段を介して受信する受信手段とを備え、
前記音声再生手段は、前記受信手段により受信した音声成分を再生することを特徴とする表示装置。
【請求項２】
請求項１に記載の表示装置において、前記音声再生手段から再生させる音声成分を選択するための画面をＯＳＤ表示するＯＳＤ処理手段を備え、
ユーザ操作に従って前記画面から選択された音声成分情報を前記音声成分情報設定手段に設定することを特徴とする表示装置。
【請求項３】
請求項１又は２に記載の表示装置において、前記音声成分情報設定手段に音声成分情報が設定されたときに、前記音響装置に対して、前記音声成分情報設定手段にアクセスしてくるように指示する手段を備えたことを特徴とする表示装置。
【請求項４】
請求項１乃至３のいずれか１項に記載の表示装置において、前記接続手段は、ＨＤＭＩ規格に準じた接続を行う手段であり、前記音声成分情報設定手段は、音声成分情報を含むＥＤＩＤであることを特徴とする表示装置。
【請求項５】
１以上の音声成分を再生可能な表示装置と接続する接続手段と、複数の音声成分を再生する音声再生手段とを備えた音響装置であって、
複数の音声成分からなる音声信号を入力する音声入力手段と、該入力した複数の音声信号を前記音声再生手段から再生させる音声成分と前記接続手段を介して前記表示装置から再生させる音声成分とに選択的に振り分ける音声成分選択手段とを備え、
前記音声成分選択手段は、前記表示装置に設定された音声成分情報に従って、前記表示装置から再生させる音声成分を選択することを特徴とする音響装置。
【請求項６】
請求項５に記載の音響装置において、前記接続手段は、ＨＤＭＩ規格に準じた接続を行う手段であり、前記表示装置に設定された音声成分情報は、ＥＤＩＤに含まれる音声成分情報であることを特徴とする音響装置。
【請求項７】
１以上の音声成分を再生可能な表示装置と接続する接続手段と、複数の音声成分を再生する音声再生手段とを備えた音響装置であって、
複数の音声成分からなる音声信号と該音声信号に含まれる音声成分情報を入力する音声入力手段と、該入力した複数の音声信号を前記音声再生手段から再生させる音声成分と前記接続手段を介して前記表示装置から再生させる音声成分とに選択的に振り分ける音声成分選択手段とを備え、
前記音声成分選択手段により選択された、前記表示装置から再生させる音声成分に対応させて、前記音声信号に含まれる音声成分情報を書き換えることを特徴とする音響装置。
【請求項８】
請求項７に記載の音響装置において、前記接続手段は、ＨＤＭＩ規格に準じた接続を行う手段であることを特徴とする音響装置。
【請求項９】
表示装置と音響装置とが接続手段を介して接続されたＡＶシステムであって、
前記表示装置は、１以上の音声成分を再生する第１の音声再生手段と、該第１の音声再生手段から再生させる音声成分に係る音声成分情報を設定する音声成分情報設定手段とを備え、
前記音響装置は、複数の音声成分を再生する第２の音声再生手段と、複数の音声成分からなる音声信号を入力する音声入力手段と、該入力した複数の音声信号を前記第２の音声再生手段から再生させる音声成分と前記接続手段を介して前記第１の音声再生手段から再生させる音声成分とに選択的に振り分ける音声成分選択手段とを備え、
前記音声成分選択手段は、前記音声成分情報設定手段に設定された音声成分情報に従って、前記第１の音声再生手段から再生させる音声成分を選択することを特徴とするＡＶシステム。
【請求項１０】
表示装置と音響装置とが接続手段を介して接続されたＡＶシステムであって、
前記表示装置は、１以上の音声成分を再生する第１の音声再生手段を備え、
前記音響装置は、複数の音声成分を再生する第２の音声再生手段と、複数の音声成分からなる音声信号と該音声信号に含まれる音声成分情報を入力する音声入力手段と、該入力した複数の音声信号を前記第２の音声再生手段から再生させる音声成分と前記接続手段を介して前記第１の音声再生手段から再生させる音声成分とに選択的に振り分ける音声成分選択手段とを備え、
前記音声成分選択手段により選択された、前記第１の音声再生手段から再生させる音声成分に対応させて、前記音声信号に含まれる音声成分情報を書き換えることを特徴とするＡＶシステム。
【請求項１１】
請求項９又は１０に記載のＡＶシステムにおいて、前記表示装置は、前記音声成分選択手段により選択された音声成分を前記音響装置から前記接続手段を介して受信する受信手段を備え、
前記第１の音声再生手段は、前記受信手段により受信した音声成分を再生することを特徴とするＡＶシステム。
【請求項１２】
１以上の音声成分を再生する第１の音声再生手段を備えた表示装置と、複数の音声成分を再生する第２の音声再生手段を備えた音響装置とを有し、前記表示装置と前記音響装置が接続手段を介して接続されたＡＶシステムの音声再生方法であって、
前記表示装置が、前記第１の音声再生手段から再生させる音声成分に係る音声成分情報を設定する音声成分情報設定ステップを有し、
前記音響装置が、複数の音声成分からなる音声信号を入力する音声入力ステップと、該入力した複数の音声信号を前記第２の音声再生手段から再生させる音声成分と前記接続手段を介して前記第１の音声再生手段から再生させる音声成分とに選択的に振り分ける音声成分選択ステップとを有し、
前記音声成分選択ステップは、前記音声成分情報設定ステップで設定された音声成分情報に従って、前記第１の音声再生手段から再生させる音声成分を選択することを特徴とする音声再生方法。
【請求項１３】
１以上の音声成分を再生する第１の音声再生手段を備えた表示装置と、複数の音声成分を再生する第２の音声再生手段を備えた音響装置とを有し、前記表示装置と前記音響装置が接続手段を介して接続されたＡＶシステムの音声再生方法であって、
前記音響装置が、複数の音声成分からなる音声信号と該音声信号に含まれる音声成分情報を入力する音声入力ステップと、該入力した複数の音声信号を前記第２の音声再生手段から再生させる音声成分と前記接続手段を介して前記第１の音声再生手段から再生させる音声成分とに選択的に振り分ける音声成分選択ステップと、該選択された、前記第１の音声再生手段から再生させる音声成分に対応させて、前記音声信号に含まれる音声成分情報を書き換える書き換えステップとを有することを特徴とする音声再生方法。
【請求項１４】
請求項１２又は１３に記載の音声再生方法において、前記表示装置が、前記音声成分選択ステップで選択された音声成分を前記音響装置から前記接続手段を介して受信する受信ステップを有し、
前記受信ステップにより受信した音声成分を前記第１の音声再生手段から再生することを特徴とする音声再生方法。
【発明の詳細な説明】
【技術分野】
【０００１】
本発明は、表示装置、音響装置、ＡＶシステム、及び音声再生方法、より詳細には、ＨＤＭＩ（High Definition Multimedia Interface）等のデジタルインタフェースを介してマルチチャンネル音声を再生する機能を備えた表示装置、音響装置、ＡＶ（Audio Video）システム、及び該ＡＶシステムによる音声再生方法に関する。
【背景技術】
【０００２】
従来、ＤＶＤプレーヤ、ＡＶアンプ、テレビジョン放送受像機などで構成されるＡＶシステムにおいて、より臨場感のある音声を再生するために、例えば、５．１チャンネル、６．１チャンネルなどの２チャンネル以上の音声成分を持ったマルチチャンネルの音声を再生するサラウンドシステムが提供されている。５．１チャンネルの場合、視聴者の前方に設ける左（FL：Front Left）スピーカ、右（FR：Front Right）スピーカ、センター（FC：Front Center）スピーカ、視聴者の後方に設ける左（RL：Rear Left）スピーカ、右（RR：Rear Right）スピーカ、さらにスーパーウーファー（LFE：Low Frequency Effect）スピーカに対応する６つの音声成分で構成され、６．１チャンネルの場合、５．１チャンネルの６つの音声成分に、視聴者後方に設けるセンター（RC：Rear Center）スピーカ用の音声成分を加えた７チャンネルで構成される。
【０００３】
これらＡＶ機器間を接続することでサラウンド音声を再生可能なシステムに関し、例えば、特許文献１には、ＤＶＤ再生部を有する多チャンネル音響信号再生装置によってサラウンド音声を再生可能としたものが開示されている。この多チャンネル音響信号再生装置は、ＤＶＤ、ＣＤ、ラジオ等とスピーカを一体化し且つ搬送可能としたもので、テレビジョン受像機とＩＥＥＥ１３９４やＵＳＢインタフェースを介して接続される。そして、テレビジョン受像機のスピーカをメインスピーカとし、他の音響機器のスピーカをサブスピーカとして多チャンネル音響信号再生装置本体側より制御可能としたものである。
【０００４】
上記特許文献１に記載の多チャンネル音響信号再生装置は、テレビとの間をＩＥＥＥ１３９４あるいはＵＳＢにより接続するものである。このＩＥＥＥ１３９４を用いることで、ＡＶ機器間のデジタル接続を可能とするが、ＩＥＥＥ１３９４には機器間認証を行う機能がないため、たとえ規格に準拠したＡＶ機器であってもメーカ間で互換性がないなど機器間の接続が保証されているわけではなかった。
【０００５】
これに対して、ＡＶ機器間の認証機能を備えたデジタル接続インタフェース規格の一つであるＨＤＭＩ規格が知られている。このＨＤＭＩは、コンピュータ本体とディスプレイとの間で、デジタル化された映像信号を高速に伝送するためのインタフェースであるＤＶＩ（Digital Visual Interface）規格をさらに発展させたもので、ＤＶＩ規格の上位互換とされる。このＨＤＭＩは、ＴＶ放送のデジタル化、表示デバイスの平面パネルへの切り替えといった変化に対応して、家庭内においてＳＴＢ（Set Top Box）やＤＶＤプレーヤ（レコーダ）、ＨＤＤレコーダなどの出力機器とディスプレイ間をデジタル接続することを目的としている。
【０００６】
このＨＤＭＩにおいては、オーディオ信号およびコントロール信号を伝送する機能が追加され、ＴＶ用途の要求を満足するようになっている。オーディオ信号はビデオ信号のブランキング期間に挿入されてビデオ信号と同時に伝送される。従来は機器間の接続に、ビデオ、オーディオ、コントロールの各信号用に複数のケーブルを用いていたが、ＨＤＭＩケーブル１本で済み、また、コントロール信号は双方向の伝送に対応しているため、例えばディスプレイからＨＤＭＩで接続されたＳＴＢやＤＶＤプレーヤ等の出力機器にコントロール信号を中継することによって、一つのリモコンでＡＶシステム全体を操作することも可能となる。
【０００７】
このように、コンテンツがデジタル伝送されるようになると複製防止がより重要となってくる。このため、ＨＤＭＩでは不正コピー防止機能として、ＨＤＣＰ（High-bandwidth Digital Contents Protection）を採用し、不正コピーを防止している。
【０００８】
さらに、ＨＤＭＩには、ユーザの利便性を考慮して、コネクタの小型化、取り扱いの簡略化などの工夫が盛り込まれている。例えば、動作中でもケーブルの抜き差しを可能とするホットプラグ機能や、自動的に最適な画面解像度が設定されるＤＤＣ／ＣＩ（Display Data Channel/Command Interface）機能などが規定され、ユーザは異なるメーカの製品同士であっても特別な知識なしに接続することができる。
【０００９】
このＨＤＭＩを用いることにより、互いに認証されたＤＶＤプレーヤ（再生装置）、ＡＶアンプ（音響装置）、及びテレビジョン放送受像機（表示装置）をデジタル接続し、臨場感のあるマルチサラウンドの音声再生を行えるシステムを手軽に構築することができる。
【特許文献１】特開２００２−６４９００号公報
【発明の開示】
【発明が解決しようとする課題】
【００１０】
しかしながら、ＨＤＭＩ接続によりＤＶＤプレーヤとＡＶアンプとテレビとを接続し、ＤＶＤプレーヤから送られてくるマルチサラウンド音声を有する映像をＡＶアンプ経由で再生した場合、マルチサラウンドの音声成分はＡＶアンプで再生され、ＡＶアンプのスピーカから出力される。そして、ＡＶアンプからテレビへは映像のみが出力され、音声は出力されない。このため、テレビ等の表示装置からの音声は無音、すなわちテレビのスピーカからは音声出力されず、全く使用されないことになり、テレビ側のスピーカが有効に活用されていなかった。
【００１１】
また、前述の特許文献１に記載の発明によれば、一つの機器（多チャンネル音響信号再生装置）より他の音響機器（テレビ）のスピーカの制御が可能となるが、音声信号の特性に応じて選択的に音声成分（例えば、センター成分、サラウンド成分など）をテレビ側スピーカに振り分けるということはできなかった。
【００１２】
本発明は、上述のごとき実情に鑑みてなされたものであり、ＨＤＭＩなどのデジタル接続により音響装置（ＡＶアンプ）と表示装置（テレビ）とを接続し、ＤＶＤプレーヤ等からのマルチサラウンド音声を有する映像をＡＶアンプ経由で再生した場合、マルチサラウンドの音声成分をＡＶアンプ及びテレビの両方を用いて再生可能とすること、
また、マルチサラウンドの音声信号の特性に応じて音声成分（例えば、センター成分、サラウンド成分など）を選択的にテレビ側スピーカに振り分けできるようにすること、を目的とする。
【課題を解決するための手段】
【００１３】
上記課題を解決するために、本発明の第１の技術手段は、複数の音声成分を再生可能な音響装置と接続する接続手段を備えた表示装置であって、１以上の音声成分を再生する音声再生手段と、該音声再生手段から再生させる音声成分に係る音声成分情報を設定する音声成分情報設定手段と、該音声成分情報設定手段に設定された音声成分情報に対応する音声成分を前記音響装置から前記接続手段を介して受信する受信手段とを備え、前記音声再生手段は、前記受信手段により受信した音声成分を再生することを特徴としたものである。
【００１４】
第２の技術手段は、第１の技術手段において、前記音声再生手段から再生させる音声成分を選択するための画面をＯＳＤ表示するＯＳＤ処理手段を備え、ユーザ操作に従って前記画面から選択された音声成分情報を前記音声成分情報設定手段に設定することを特徴としたものである。
【００１５】
第３の技術手段は、第１又は第２の技術手段において、前記音声成分情報設定手段に音声成分情報が設定されたときに、前記音響装置に対して、前記音声成分情報設定手段にアクセスしてくるように指示する手段を備えたことを特徴としたものである。
【００１６】
第４の技術手段は、第１乃至第３のいずれか１の技術手段において、前記接続手段は、ＨＤＭＩ規格に準じた接続を行う手段であり、前記音声成分情報設定手段は、音声成分情報を含むＥＤＩＤであることを特徴としたものである。
【００１７】
第５の技術手段は、１以上の音声成分を再生可能な表示装置と接続する接続手段と、複数の音声成分を再生する音声再生手段とを備えた音響装置であって、複数の音声成分からなる音声信号を入力する音声入力手段と、該入力した複数の音声信号を前記音声再生手段から再生させる音声成分と前記接続手段を介して前記表示装置から再生させる音声成分とに選択的に振り分ける音声成分選択手段とを備え、前記音声成分選択手段は、前記表示装置に設定された音声成分情報に従って、前記表示装置から再生させる音声成分を選択することを特徴としたものである。
【００１８】
第６の技術手段は、第５の技術手段において、前記接続手段は、ＨＤＭＩ規格に準じた接続を行う手段であり、前記表示装置に設定された音声成分情報は、ＥＤＩＤに含まれる音声成分情報であることを特徴としたものである。
【００１９】
第７の技術手段は、１以上の音声成分を再生可能な表示装置と接続する接続手段と、複数の音声成分を再生する音声再生手段とを備えた音響装置であって、複数の音声成分からなる音声信号と該音声信号に含まれる音声成分情報を入力する音声入力手段と、該入力した複数の音声信号を前記音声再生手段から再生させる音声成分と前記接続手段を介して前記表示装置から再生させる音声成分とに選択的に振り分ける音声成分選択手段とを備え、
前記音声成分選択手段により選択された前記表示装置から再生させる音声成分に対応させて、前記音声信号に含まれる音声成分情報を書き換えることを特徴としたものである。
【００２０】
第８の技術手段は、第７の技術手段において、前記接続手段は、ＨＤＭＩ規格に準じた接続を行う手段であることを特徴としたものである。
【００２１】
第９の技術手段は、表示装置と音響装置とが接続手段を介して接続されたＡＶシステムであって、前記表示装置は、１以上の音声成分を再生する第１の音声再生手段と、該第１の音声再生手段から再生させる音声成分に係る音声成分情報を設定する音声成分情報設定手段とを備え、前記音響装置は、複数の音声成分を再生する第２の音声再生手段と、複数の音声成分からなる音声信号を入力する音声入力手段と、該入力した複数の音声信号を前記第２の音声再生手段から再生させる音声成分と前記接続手段を介して前記第１の音声再生手段から再生させる音声成分とに選択的に振り分ける音声成分選択手段とを備え、前記音声成分選択手段は、前記音声成分情報設定手段に設定された音声成分情報に従って、前記第１の音声再生手段から再生させる音声成分を選択することを特徴としたものである。
【００２２】
第１０の技術手段は、表示装置と音響装置とが接続手段を介して接続されたＡＶシステムであって、前記表示装置は、１以上の音声成分を再生する第１の音声再生手段を備え、前記音響装置は、複数の音声成分を再生する第２の音声再生手段と、複数の音声成分からなる音声信号と該音声信号に含まれる音声成分情報を入力する音声入力手段と、該入力した複数の音声信号を前記第２の音声再生手段から再生させる音声成分と前記接続手段を介して前記第１の音声再生手段から再生させる音声成分とに選択的に振り分ける音声成分選択手段とを備え、前記音声成分選択手段により選択された前記第１の音声再生手段から再生させる音声成分に対応させて、前記音声信号に含まれる音声成分情報を書き換えることを特徴としたものである。
【００２３】
第１１の技術手段は、第９又は第１０の技術手段において、前記表示装置は、前記音声成分選択手段により選択された音声成分を前記音響装置から前記接続手段を介して受信する受信手段を備え、前記第１の音声再生手段は、前記受信手段により受信した音声成分を再生することを特徴としたものである。
【００２４】
第１２の技術手段は、１以上の音声成分を再生する第１の音声再生手段を備えた表示装置と、複数の音声成分を再生する第２の音声再生手段を備えた音響装置とを有し、前記表示装置と前記音響装置が接続手段を介して接続されたＡＶシステムの音声再生方法であって、前記表示装置が、前記第１の音声再生手段から再生させる音声成分に係る音声成分情報を設定する音声成分情報設定ステップを有し、前記音響装置が、複数の音声成分からなる音声信号を入力する音声入力ステップと、該入力した複数の音声信号を前記第２の音声再生手段から再生させる音声成分と前記接続手段を介して前記第１の音声再生手段から再生させる音声成分とに選択的に振り分ける音声成分選択ステップとを有し、前記音声成分選択ステップは、前記音声成分情報設定ステップで設定された音声成分情報に従って、前記第１の音声再生手段から再生させる音声成分を選択することを特徴としたものである。
【００２５】
第１３の技術手段は、１以上の音声成分を再生する第１の音声再生手段を備えた表示装置と、複数の音声成分を再生する第２の音声再生手段を備えた音響装置とを有し、前記表示装置と前記音響装置が接続手段を介して接続されたＡＶシステムの音声再生方法であって、前記音響装置が、複数の音声成分からなる音声信号と該音声信号に含まれる音声成分情報を入力する音声入力ステップと、該入力した複数の音声信号を前記第２の音声再生手段から再生させる音声成分と前記接続手段を介して前記第１の音声再生手段から再生させる音声成分とに選択的に振り分ける音声成分選択ステップと、該選択された前記第１の音声再生手段から再生させる音声成分に対応させて、前記音声信号に含まれる音声成分情報を書き換える書き換えステップとを有することを特徴としたものである。
【００２６】
第１４の技術手段は、第１２又は第１３の技術手段において、前記表示装置が、前記音声成分選択ステップで選択された音声成分を前記音響装置から前記接続手段を介して受信する受信ステップを有し、前記受信ステップにより受信した音声成分を前記第１の音声再生手段から再生することを特徴としたものである。
【発明の効果】
【００２７】
本発明によれば、ＨＤＭＩなどのデジタル接続により音響装置（ＡＶアンプ）と表示装置（テレビ）とを接続し、ＤＶＤプレーヤ等からのマルチサラウンド音声を有する映像をＡＶアンプ経由で再生した場合、マルチサラウンドの音声成分をＡＶアンプ及びテレビの両方を用いて再生することができるため、テレビのスピーカを有効に利用することができる。
【００２８】
また、マルチサラウンドの音声信号の特性に応じて音声成分（例えば、センター成分、サラウンド成分など）を選択的にテレビ側スピーカに振り分けできるため、例えばテレビがアンダースピーカタイプであればセンター成分を、サイドスピーカタイプであればサラウンド成分といった具合にスピーカ位置に応じて最適な音声成分を振り分けることができる。
【発明を実施するための最良の形態】
【００２９】
以下、添付図面を参照しながら、本発明の表示装置、音響装置、ＡＶシステム、及び該ＡＶシステムによる音声再生方法の好適な実施の形態について説明する。なお、本発明をＨＤＭＩに適用した場合を代表例として示すが、ＤＶＩやＩＥＥＥ１３９４など他のデジタルインタフェースに適用してもよい。
【００３０】
図１は、本発明の一実施形態に係るＡＶシステムの構成例を示すブロック図で、図中、１，２はＨＤＭＩケーブル、１０はＤＶＤプレーヤ、２０はＡＶアンプ、４０はテレビジョン放送受像機（ＴＶ）を示す。ＤＶＤプレーヤ１０とＡＶアンプ２０とはＨＤＭＩケーブル１を介してデジタル接続され、ＡＶアンプ２０とＴＶ４０とはＨＤＭＩケーブル２を介してデジタル接続される。本実施形態においては、再生装置をＤＶＤプレーヤ、音響装置をＡＶアンプ、表示装置をテレビジョン放送受像機として例示するが、これらの具体例に限定されるものではない。
【００３１】
ＤＶＤプレーヤ１０は、ＨＤＭＩ規格におけるソース機器に相当し、このＤＶＤプレーヤ以外にも、例えば、ＳＴＢ（セットトップボックス）、ＤＶＤレコーダ、ＨＤＤレコーダ、デジタルビデオカメラなど、映像・音声信号を供給可能なものであればよい。また、ＴＶ４０は、ＨＤＭＩ規格におけるシンク機器に相当し、このＴＶ以外にも、例えば、ＬＣＤやＰＤＰなどのモニタあるいはプロジェクタなど、映像・音声信号を受信して出力可能なものであればよい。また、ＡＶアンプ２０は、ＨＤＭＩ規格における中継（リピータ）機器に相当し、映像・音声信号の入力と出力の両方の機能を備え、本実施形態では音声信号の一部成分と映像信号をＴＶ４０へ中継する。
【００３２】
ＨＤＭＩケーブル１，２は、デジタル信号である映像・音声信号を差動方式で伝送するためのＴＭＤＳ（Transition Minimized Differential Signaling）ライン（デジタル信号転送ライン）と、ＥＤＩＤ（Extended Display Identification Data）の送信やＨＤＣＰ認証等に利用され双方向のＩ２Ｃバスなどで構成されるＤＤＣラインと、機器間で共通の制御信号としてＣＥＣ（Consumer Electronics Control）コマンドを伝送する双方向バスであるＣＥＣラインと、を含んで構成される。なお、ＣＥＣはＨＤＭＩ接続された機器を制御するためのプロトコルで、ＣＥＣコマンドはＣＥＣプロトコルに基づいた制御信号である。
【００３３】
ＴＭＤＳラインは、シリアル伝送路であり、例えば、赤（Ｒ）、緑（Ｇ）、青（Ｂ）のチャンネル毎の３つのデータ伝送路と、１つのクロック伝送路とが設けられている。Ｒ，Ｇ，Ｂに分解された映像信号は伝送路内をベースバンド信号で伝送され、音声信号は映像信号のブランキング期間に挿入されて映像信号と同時に伝送される。ＨＤＭＩは、５．１ｃｈや６．１ｃｈなどマルチサラウンドの音声信号の伝送にも対応しており、マルチサラウンド音声信号を映像信号に挿入して同時に伝送することができる。
【００３４】
ＤＶＤプレーヤ１０は、ＨＤＭＩトランスミッタ１１、ＨＤＭＩコントローラ１２、ＣＰＵ１３、ＣＥＣコントローラ１４、ＨＤＭＩインタフェース（ＨＤＭＩ  Ｉ／Ｆ）１５、及びＣＥＣインタフェース（ＣＥＣ  Ｉ／Ｆ）１５１を備え、ＨＤＭＩケーブル１を介してＡＶアンプ２０と接続される。
【００３５】
ＨＤＭＩ  Ｉ／Ｆ１５は、ＨＤＭＩケーブル１を接続するためのＨＤＭＩ端子であって、ＨＤＭＩケーブル１に収納されているＴＭＤＳライン、ＤＤＣライン、及びＣＥＣラインをそれぞれ接続する。これにより、ＤＶＤプレーヤ１０とＡＶアンプ２０とがＨＤＭＩ接続される。
【００３６】
ＨＤＭＩトランスミッタ１１は、ＤＶＤ１６に記録されている映像データとマルチサラウンド音声データとを読み出して、そのマルチサラウンド音声信号を映像信号のブランキング期間に挿入し、音声信号が挿入された映像信号をＨＤＭＩの伝送形式に変換する。そして、変換した映像・音声信号をＴＭＤＳライン経由でＡＶアンプ２０へ送信する。ここで、ＤＶＤ１６の後段で、且つ、ＨＤＭＩトランスミッタ１１の前段には図示しないデコーダが設けられており、ＤＶＤ１６に記録されている圧縮映像信号はデコードされた後、ＨＤＭＩトランスミッタ１１に入力される。このＨＤＭＩトランスミッタ１１の動作はＨＤＭＩコントローラ１２により制御される。
【００３７】
ＣＥＣ  Ｉ／Ｆ１５１は、ＨＤＭＩケーブル１内のＣＥＣラインを接続し、ＡＶアンプ２０あるいはＴＶ４０との間でＣＥＣコマンドの双方向通信を可能とする。このＣＥＣ  Ｉ／Ｆ１５１の動作はＣＥＣコントローラ１４により制御され、ＣＥＣコマンドによってＨＤＭＩ接続された機器を制御することができる。例えば、一方の機器（ＴＶ４０）からスタンバイ状態にある他方の機器（ＤＶＤプレーヤ１０及び／又はＡＶアンプ２０）に対して、電源オンを指示するＣＥＣコマンドを送信することにより電源をオンさせるなどの制御を行うことが可能となる。ＣＥＣの場合、ＨＤＭＩ接続された各機器の論理アドレス（機器の種別）と物理アドレス（機器の位置）が取得されるため、この論理アドレスと物理アドレスを指定することで各機器へＣＥＣコマンドを送信することができる。
【００３８】
ＣＰＵ１３は、ＨＤＭＩコントローラ１２とＣＥＣコントローラ１４に接続され、各コントローラの動作を制御する。また、ＤＤＣラインを介してＡＶアンプ２０のＥＤＩＤ（後述のＥＤＩＤ２５）が格納されているメモリにアクセスし、ＡＶアンプ２０のＥＤＩＤを取得する。このＥＤＩＤにはＡＶアンプ２０の出力可能な音声成分についての情報（例えば、５．１ｃｈなど）が含まれる。ＣＰＵ１３は、このＥＤＩＤから取得される音声成分情報に応じた音声信号を出力するようにＨＤＭＩコントローラ１２を制御する。また、ＣＰＵ１３は、ＤＤＣラインを利用してＡＶアンプ２０との間でＨＤＣＰ認証を行い、映像・音声信号をＡＶアンプ２０へ出力してもよいかどうかを判定する。この判定の結果、認証された場合のみ、映像・音声信号をＡＶアンプ２０へ出力する。
【００３９】
次に、ＡＶアンプ２０は、ＨＤＭＩ  Ｉ／Ｆ２１，３１、ＨＤＭＩレシーバ２２、ＨＤＭＩトランスミッタ２３、ＨＤＭＩコントローラ２４、ＥＤＩＤ２５、ＣＰＵ２６，ＣＥＣコントローラ２７、音声セレクタ２８、音声アンプ２９、スピーカ３０、及びＣＥＣ  Ｉ／Ｆ２１１，３１１を備え、ＨＤＭＩケーブル１を介してＡＶアンプ２０と接続され、ＨＤＭＩケーブル２を介してＴＶ４０と接続される。
【００４０】
ＨＤＭＩ  Ｉ／Ｆ２１は、本発明の接続手段に相当し、ＨＤＭＩケーブル１を接続するためのＨＤＭＩ端子であって、ＨＤＭＩケーブル１に収納されているＴＭＤＳライン、ＤＤＣライン、及びＣＥＣラインをそれぞれ接続する。これにより、ＤＶＤプレーヤ１０とＡＶアンプ２０とがＨＤＭＩ接続される。同様に、ＨＤＭＩ  Ｉ／Ｆ３１は、ＨＤＭＩケーブル２を接続するためのＨＤＭＩ端子であって、ＨＤＭＩケーブル２に収納されているＴＭＤＳライン、ＤＤＣライン、及びＣＥＣラインをそれぞれ接続する。これにより、ＡＶアンプ２０とＴＶ４０とがＨＤＭＩ接続される。
【００４１】
ＨＤＭＩレシーバ２２は、本発明の音声入力手段に相当し、ＤＶＤプレーヤ１０（ＨＤＭＩトランスミッタ１１）から送信された映像・音声信号を受信、分離し、映像信号をＨＤＭＩトランスミッタ２３に出力し、マルチサラウンド音声信号を音声セレクタ２８に出力する。このＨＤＭＩレシーバ２２の動作はＨＤＭＩコントローラ２４により制御される。なお、本例では、ＤＶＤプレーヤ１０から送信される音声信号を５．１ｃｈマルチサラウンド音声信号とする。
【００４２】
音声セレクタ２８は、本発明の音声成分選択手段に相当し、ＣＰＵ２６からの制御に従って、入力された５．１ｃｈマルチサラウンド音声信号から、例えば、視聴者の前方左（FL）に位置するスピーカ３０１から出力させる音声成分ＦＬ、前方右（FR）に位置するスピーカ３０２から出力させる音声成分ＦＲ、後方左（RL）に位置するスピーカ３０３から出力させる音声成分ＲＬ、後方右（RR）に位置するスピーカ３０４から出力させる音声成分ＲＲ、スーパーウーファー（LFE）用のスピーカ３０５から出力される音声成分ＬＦＥを選択し、選択した各音声成分を音声アンプ２９へ出力する。
【００４３】
音声アンプ２９は、音声セレクタ２８からの音声成分ＦＬ，ＦＲ，ＲＬ，ＲＲ，ＬＦＥを、対応するスピーカ３０へそれぞれ出力する。これら音声成分に応じて複数からなるスピーカ３０は、ＡＶアンプ２０の音声再生手段（第２の音声再生手段）に相当する。
【００４４】
また、音声セレクタ２８は、ＣＰＵ２６からの制御に従って、入力されたマルチサラウンド音声信号から、例えば、視聴者の前方中央（FC）に位置するスピーカ（ここではＴＶ４０のスピーカ）から出力させる音声成分ＦＣを選択し、選択した音声成分ＦＣをＨＤＭＩトランスミッタ２３へ出力する。
【００４５】
ＨＤＭＩトランスミッタ２３は、ＨＤＭＩレシーバ２２からの映像信号のブランキング期間に音声セレクタ２８からの音声成分ＦＣを挿入し、音声成分ＦＣが挿入された映像信号をＨＤＭＩの伝送形式に変換する。そして、変換した映像・音声信号をＴＭＤＳライン経由でＴＶ４０へ送信する。このＨＤＭＩトランスミッタ２３の動作はＨＤＭＩコントローラ２４により制御される。
【００４６】
ＣＥＣ  Ｉ／Ｆ２１１は、ＨＤＭＩケーブル１内のＣＥＣラインを接続し、ＤＶＤプレーヤ１０との間でＣＥＣコマンドの双方向通信を可能とする。また、ＣＥＣ  Ｉ／Ｆ３１１は、ＨＤＭＩケーブル２内のＣＥＣラインを接続し、ＴＶ４０との間でＣＥＣコマンドの双方向通信を可能とする。このＣＥＣ  Ｉ／Ｆ２１１，３１１の動作はＣＥＣコントローラ２７により制御される。
【００４７】
ＣＰＵ２６は、ＨＤＭＩコントローラ２４、ＣＥＣコントローラ２７、及び音声セレクタ２８に接続され、各部の動作を制御する。また、ＤＤＣラインを介してＴＶ４０のＥＤＩＤ（後述のＥＤＩＤ４５）が格納されているメモリにアクセスし、ＴＶ４０のＥＤＩＤを取得する。このＥＤＩＤにはＴＶ４０の出力可能な音声成分についての情報（例えば、音声成分ＦＣなど）が含まれる。ＣＰＵ２６は、このＥＤＩＤから取得される音声成分情報に応じた音声信号を選択するように音声セレクタ２８を制御する。この音声セレクタ２８の詳細構成については後述する。
【００４８】
ＣＰＵ２６は、音声セレクタ２８で選択された音声成分ＦＣを出力するようにＨＤＭＩコントローラ２４を制御する。また、ＣＰＵ２６は、ＤＤＣラインを利用してＴＶ４０との間でＨＤＣＰ認証を行い、映像・音声信号をＴＶ４０へ出力してもよいかどうかを判定する。この判定の結果、認証された場合にだけ、映像・音声信号をＴＶ４０へ出力する。
【００４９】
次に、ＴＶ４０は、ＨＤＭＩ  Ｉ／Ｆ４１、ＨＤＭＩレシーバ４２、ＨＤＭＩコントローラ４３、ＣＰＵ４４、ＥＤＩＤ４５、ＣＥＣコントローラ４６、ＯＳＤ処理部４７、表示部４８、スピーカ４９、及びＣＥＣ  Ｉ／Ｆ４１１を備え、ＨＤＭＩケーブル２を介してＡＶアンプ２０と接続される。
【００５０】
ＨＤＭＩ  Ｉ／Ｆ４１は、本発明の接続手段に相当し、ＨＤＭＩケーブル２を接続するためのＨＤＭＩ端子であって、ＨＤＭＩケーブル２に収納されているＴＭＤＳライン、ＤＤＣライン、及びＣＥＣラインをそれぞれ接続する。これにより、ＴＶ４０とＡＶアンプ２０とがＨＤＭＩ接続される。
【００５１】
ＨＤＭＩレシーバ４２は、本発明の受信手段に相当し、ＡＶアンプ２０（ＨＤＭＩトランスミッタ２３）から送信された映像・音声信号を受信、分離し、映像信号を表示部４８に出力し、音声成分ＦＣを音スピーカ４９に出力する。このＨＤＭＩレシーバ４２の動作はＨＤＭＩコントローラ４３により制御される。
【００５２】
ＣＥＣ  Ｉ／Ｆ４１１は、ＨＤＭＩケーブル２内のＣＥＣラインを接続し、ＡＶアンプ２０との間でＣＥＣコマンドの双方向通信を可能とする。このＣＥＣ  Ｉ／Ｆ４１１の動作はＣＥＣコントローラ４６により制御される。
【００５３】
ＣＰＵ４４は、ＨＤＭＩコントローラ４３とＣＥＣコントローラ４６に接続され、各コントローラの動作を制御する。また、ＣＰＵ４４は、本発明の音声成分情報設定手段に相当するＥＤＩＤ４５が格納されているメモリにアクセスし、ＥＤＩＤ４５の内容を書き換える処理を行う。このＥＤＩＤ４５にはＴＶ４０の出力可能な音声成分についての情報が含まれ、この音声成分情報を例えばセンター成分の音声（音声成分ＦＣ）に書き換える。これにより、ＡＶアンプ２０（ＣＰＵ２６）は、このＥＤＩＤ４５から取得される音声成分情報に応じた音声信号を選択するように音声セレクタ２８を制御することができる。
【００５４】
ＯＳＤ処理部４７は、本発明のＯＳＤ処理手段に相当し、ＣＰＵ４４と接続され、各種メニュー表示などのＯＳＤ表示を行う。ＯＳＤ処理部４７は、上記ＥＤＩＤ４５の書き換え処理を行う際に、音声成分選択画面をＯＳＤ表示させ、Ｒ／Ｃ（リモコン）５０からの操作指示に従って、視聴者所望の音声成分を選択させる。これにより選択された音声成分がＥＤＩＤ４５に反映されて書き換えられる。このように、ＴＶ４０の音声再生手段（第１の音声再生手段）に相当するスピーカ４９から出力させる音声成分は、ユーザ操作により任意に設定してもよいし、あるいは、デフォルトで設定しておいてもよい。
【００５５】
ここで、ＣＰＵ４４は、ＥＤＩＤ４５に音声成分情報が設定されたときに、ＡＶアンプ２０に対して、ＥＤＩＤ４５にアクセスしてくるように指示を行う。これを受けてＡＶアンプ２０は、ＥＤＩＤ４５にアクセスしてＴＶ４０の音声成分情報を取得し、ＴＶ４０へ出力すべき音声成分を選択する。
【００５６】
このように、ＴＶ４０は、１以上の音声成分を再生するスピーカ４９と、スピーカ４９から再生させる音声成分に係る音声成分情報を設定するＥＤＩＤ４５とを備える。また、ＡＶアンプ２０は、複数の音声成分を再生するスピーカ３０と、複数の音声成分からなる音声信号を入力するＨＤＭＩレシーバ２２と、入力した複数の音声信号をスピーカ３０から再生させる音声成分とＨＤＭＩケーブル２を介してスピーカ４９から再生させる音声成分とに選択的に振り分ける音声セレクタ２８とを備える。音声セレクタ２８は、ＥＤＩＤ４５に設定された音声成分情報に従って、スピーカ４９から再生させる音声成分を選択する。
【００５７】
また、別の実施形態として、ＤＶＤプレーヤ１０から送信されるＨＤＭＩ信号内に音声成分情報（例えば、前方左右２ｃｈ、後方左右２ｃｈ、前方中央１ｃｈなど）を含ませるようにしてもよい。この場合、ＡＶアンプ２０が音声成分情報を書き換えた後、映像・音声信号をＴＶ４０へ出力する。ＡＶアンプ２０は、ＴＶ４０へ出力される音声成分が例えばセンター成分の音声成分ＦＣに設定されている場合、ＨＤＭＩ信号内の音声成分情報を音声成分ＦＣに書き換える。ＴＶ４０へ出力させる音声成分は、ユーザ指定などにより予めＡＶアンプ２０に設定しておいてもよい。
【００５８】
本実施形態の場合、ＴＶ４０は、１以上の音声成分を再生するスピーカ４９を備える。また、ＡＶアンプ２０は、複数の音声成分を再生するスピーカ３０と、複数の音声成分からなる音声信号と該音声信号に含まれる音声成分情報を入力するＨＤＭＩレシーバ２２と、入力した複数の音声信号をスピーカ３０から再生させる音声成分とＨＤＭＩケーブル２を介してスピーカ４９から再生させる音声成分とに選択的に振り分ける音声セレクタ２８とを備え、ＣＰＵ２６は、音声セレクタ２８により選択された、スピーカ４９から再生させる音声成分に対応させて、音声信号に含まれる音声成分情報を書き換える。なお、音声セレクタ２８が選択する音声成分は、予めＡＶアンプ２０に設定しておくなどの方法により決定されるようにしてもよい。
【００５９】
これによれば、ＴＶ４０は、ＡＶアンプ２０において、例えば、音声成分ＦＣに書き換えられた音声成分情報を検出することにより、入力音声信号の音声成分を知ることができる。例えば、入力音声信号がセンター成分であったとき、イコライザ処理を施して、高域成分や低域成分のカットなどを行い、センター成分に応じた最適な音質補正を行うことができる。
【００６０】
なお、ＴＶ４０から出力させる音声成分は、スピーカ４９の位置に応じて設定するようにしてもよい。例えば、アンダースピーカタイプであれば、センター成分（音声成分ＦＣ）とし、サイドスピーカタイプであれば、サラウンド成分（音声成分ＲＬ，ＲＲ）とする。
【００６１】
また、ＴＶ４０のスピーカ４９をセンタースピーカとして使う場合、ＴＶ側で持っているサラウンド機能をオフするようにしてもよい。これにより、ＴＶ４０の消費電力を抑え、省エネ化を図ることができる。
【００６２】
図２は、図１に示した音声セレクタ２８の詳細構成例を示す図である。音声セレクタ２８は、ＨＤＭＩレシーバ２２からの５．１ｃｈマルチサラウンド音声信号を入力する音声入力部２８１と、音声入力部２８１から入力された５．１ｃｈマルチサラウンド音声信号を構成する音声成分ＦＬ，ＦＲ，ＦＣ，ＲＬ，ＲＲ，ＬＦＥを出力先に応じて選択するセレクトコントローラ２８２と、セレクトコントローラ２８２で選択された選択音声（例えば音声成分ＦＣ）をＨＤＭＩトランスミッタ２３へ出力する音声出力部２８３と、セレクトコントローラ２８２で選択された選択音声（例えば音声成分ＦＬ，ＦＲ，ＲＬ，ＲＲ，ＬＦＥ）を音声アンプ２９へ出力する音声アンプ出力部２８４と、を備えている。
【００６３】
セレクトコントローラ２８２は、ＣＰＵ２６と接続され、ＣＰＵ２６からの制御に従って、例えば、スピーカ３０へ音声成分ＦＬ，ＦＲ，ＲＬ，ＲＲ，ＬＦＥを振り分け、ＴＶ４０のスピーカ４９へ音声成分ＦＣを振り分ける処理を行う。
【００６４】
図３は、ＴＶ４０からＡＶアンプ２０へ送信されるＥＤＩＤ４５の構成例を説明するための図である。ＥＤＩＤ４５は、大きく、ヘッダ情報、バージョン情報、条件情報、その他情報などから構成される。さらに、条件情報は、メーカ名や機器名を含む機器情報と、表示出力可能な一以上の解像度情報やアスペクト比情報を含む表示条件と、音声出力可能な音声成分情報（例えば、フロント２ｃｈ、リア２ｃｈ、センター１ｃｈなど）を含む音声条件と、その他情報とから構成される。このＥＤＩＤ４５の音声成分情報は、ユーザ指示等に基づいて書き換え可能とする。
【００６５】
そして、前述したように、ＡＶアンプ２０は、ＤＤＣラインを介してＴＶ４０のＥＤＩＤ４５が格納されているメモリにアクセスし、ＥＤＩＤ４５に含まれる音声成分情報を取得する。ＣＰＵ２６は、このＥＤＩＤ４５から取得される音声成分情報に応じた音声信号を選択するように音声セレクタ２８を制御する。例えば、音声成分情報がセンター１ｃｈであった場合、センター成分である音声成分ＦＣが選択され、この音声成分ＦＣがＡＶアンプ２０からＴＶ４０へ出力される。
【００６６】
図４は、ＯＳＤ処理部４７により表示される音声成分選択画面の一例を示す図である。視聴者は、Ｒ／Ｃ５０を操作して、メニュー一覧から“音声成分選択”を選択指示すると、図４に示す音声成分選択画面が表示部４８に表示される。本例は５．１ｃｈの場合について示している。視聴者は、Ｒ／Ｃ５０を操作して、所望の音声成分（ここではセンター１ｃｈ）を選択した後、「ＯＫ」を指示すると、選択が確定し、その選択情報に基づいて、ＣＰＵ４４がＥＤＩＤ４５の音声成分情報を書き換える。なお、ＴＶ４０から出力させる音声成分は、スピーカ４９の位置に応じて設定するようにしてもよい。例えば、アンダースピーカタイプであれば、センター成分（音声成分ＦＣ）とし、サイドスピーカタイプであれば、サラウンド成分（音声成分ＲＬ，ＲＲ）とする。
【００６７】
このように、マルチサラウンド音声を再生する際に、ＴＶに付いているスピーカへ音声成分を振り分けることができるため、ＴＶ側スピーカを有効に活用することができる。また、ＴＶのスピーカを活用することで新たなスピーカを購入するなどして追加する必要がなくなる。また、スピーカが足らなくてもＴＶのスピーカを利用することで簡易にマルチサラウンド環境を構築することができる。
【００６８】
図５は、本発明のＡＶシステムによる音声再生方法の一例を説明するためのフロー図である。ここでは図１に示したＡＶシステムにおいて、ＴＶ側の制御に基づいてＴＶ側スピーカからセンター成分の音声を出力する例について示す。
【００６９】
まず、ＴＶ４０は、ＡＶアンプ２０と接続しているＨＤＭＩ入力を選択し（ステップＳ１）、ＥＤＩＤ４５内の音声成分選択を“センター”にする（ステップＳ２）。そして、ＡＶアンプ２０に対して、ＥＤＩＤ４５の再読み込みを促すための制御を行う（ステップＳ３）。
【００７０】
次に、ＡＶアンプ２０は、ＴＶ４０からＥＤＩＤ４５の再読み込み要求を受けて、ＴＶ４０にアクセスし、ＥＤＩＤ４５の読み出し及びその内容の解析を行う（ステップＳ４）。そして、解析の結果、ＥＤＩＤ４５内の音声成分が“センター”成分であった場合、出力制御を行い、出力音声を“センター”成分とする（ステップＳ５）。
【００７１】
次に、ＴＶ４０は、ＡＶアンプ２０からの音声を入力し（ステップＳ６）、入力音声に対して、ＥＤＩＤ４５内の音声成分情報（ここでは“センター”成分）に基づいて音質補正等の処理を行う（ステップＳ７）。最後に、スピーカ４９から“センター”成分の音声を出力する（ステップＳ８）。
【００７２】
図６は、本発明のＡＶシステムによる音声再生方法の他の例を説明するためのフロー図である。ここでは図１に示したＡＶシステムにおいて、ＡＶアンプ側の制御に基づいてＴＶ側スピーカからセンター成分の音声を出力する例について示す。
【００７３】
まず、ＴＶ４０は、ＡＶアンプ２０と接続しているＨＤＭＩ入力を選択する（ステップＳ１１）。
【００７４】
次に、ＡＶアンプ２０は、ＤＶＤ等の入力ソースからのマルチチャンネル音声を分離する（ステップＳ１２）。そして、ＨＤＭＩ出力からの音声を“センター”成分とし（ステップＳ１３）、ＨＤＭＩ信号内の音声成分情報を“センター”成分とする（ステップＳ１４）。
【００７５】
次に、ＴＶ４０は、ＡＶアンプ２０からの音声を入力し（ステップＳ１５）、入力音声に対して、ＨＤＭＩ信号内の音声成分情報（ここでは“センター”成分）に基づいて音質補正等の処理を行う（ステップＳ１６）。最後に、スピーカ４９から“センター”成分の音声を出力する（ステップＳ１７）。
【００７６】
以上説明したように、本発明によれば、ＨＤＭＩなどのデジタル接続により音響装置（ＡＶアンプ）と表示装置（テレビ）とを接続し、ＤＶＤプレーヤ等からのマルチサラウンド音声を有する映像をＡＶアンプ経由で再生した場合、マルチサラウンドの音声成分をＡＶアンプ及びテレビの両方を用いて再生することができるため、テレビのスピーカを有効に利用することができる。
【００７７】
また、マルチサラウンドの音声信号の特性に応じて音声成分（例えば、センター成分、サラウンド成分など）を選択的にテレビ側スピーカに振り分けできるため、例えばテレビがアンダースピーカタイプであればセンター成分を、サイドスピーカタイプであればサラウンド成分といった具合にスピーカ位置に応じて最適な音声成分を振り分けることができる。
【図面の簡単な説明】
【００７８】
【図１】本発明の一実施形態に係るＡＶシステムの構成例を示すブロック図である。
【図２】図１に示した音声セレクタ２８の詳細構成例を示す図である。
【図３】ＴＶからＡＶアンプへ送信されるＥＤＩＤの構成例を説明するための図である。
【図４】ＯＳＤ処理部により表示される音声成分選択画面の一例を示す図である。
【図５】本発明のＡＶシステムによる音声再生方法の一例を説明するためのフロー図である。
【図６】本発明のＡＶシステムによる音声再生方法の他の例を説明するためのフロー図である。
【符号の説明】
【００７９】
１、２…ＨＤＭＩケーブル、１０…ＤＶＤプレーヤ、１１，２３…ＨＤＭＩトランスミッタ、１２，２４，４３…ＨＤＭＩコントローラ、１３，２６，４４…ＣＰＵ、１４，２７，４６…ＣＥＣコントローラ、１５，２１，３１，４１…ＨＤＭＩインタフェース、１６…ＤＶＤ、２０…ＡＶアンプ、２２，４２…ＨＤＭＩレシーバ、２５，４５…ＥＤＩＤ、２８…音声セレクタ、２９…音声アンプ、３０，３０１〜３０５，４９…スピーカ、４０…ＴＶ、４７…ＯＳＤ処理部、４８…表示部、５０…Ｒ／Ｃ。
【図１】
2008028950.tif 000003
【図２】
2008028950.tif 000004
【図３】
2008028950.tif 000005
【図４】
2008028950.tif 000006
【図５】
2008028950.tif 000007
【図６】
2008028950.tif 000008